(57)【要約】【課題】段ボールを主体として構成される棺桶本体を有し、軽くて、丈夫、しかも安価であり、棺桶本体内を効率よく冷却できる棺桶を提供する。【解決手段】複数の通風孔１７を有する底板部１８と、底板部１８の周囲に一体的に設けられる側壁部１９とを有し、段ボールを主体として形成される棺桶本体１１と、棺桶本体１１の開口部２８を覆う開閉窓２９付きの蓋１２とを備え、底板部１８に冷風を吹き付けて、棺桶本体１１内を冷却可能である。【選択図】        図１
2004208860.tif 000002
【特許請求の範囲】
【請求項１】
複数の通風孔を有する底板部と、前記底板部の周囲に一体的に設けられる側壁部とを有し、段ボールを主体として形成される棺桶本体と、
前記棺桶本体の開口部を覆う開閉窓付きの蓋とを備えることを特徴とする棺桶。
【請求項２】
底板部と、前記底板部の周囲に一体的に設けられる側壁部とを有し、段ボールを主体として構成される棺桶本体と、
前記棺桶本体の開口部を覆い主体が段ボールで構成される開閉窓付きの蓋とを備えることを特徴とする棺桶。
【請求項３】
請求項１及び２のいずれか１項に記載の棺桶において、前記底板部の一部又は全部が、それぞれ立設配置された複数枚の段ボールライナーとその間に配置された波状の中芯紙とからなって、上下方向に通気可能な段ボールによって構成されていることを特徴とする棺桶。
【請求項４】
請求項１〜３のいずれか１項に記載の棺桶において、前記側壁部の上端周囲に補強材が設けられ、前記棺桶本体が補強されていることを特徴とする棺桶。
【請求項５】
請求項１〜４のいずれか１項に記載の棺桶において、それぞれ前記棺桶本体及び前記蓋の外側面及び／又は内側面には、木目調の化粧紙又は薄い木材シートが貼着されていることを特徴とする棺桶。
【請求項６】
請求項１〜５のいずれか１項に記載の棺桶において、それぞれ前記棺桶本体及び前記蓋の内側面及び／又は外側面には、耐水性処理が行われていることを特徴とする棺桶。
【発明の詳細な説明】
【０００１】
【発明の属する技術分野】
本発明は、段ボールを主体として構成される棺桶に関する。
【０００２】
【従来の技術】
従来、檜、杉などの木材から形成された棺桶が広く使用されている。また、棺桶本体及び蓋は、工場等でそれぞれ予め組み立てられ、それぞれ完成した状態で出荷されていた。
ところが、檜、杉などの木材から形成される木製の棺桶は、価格が高く、また、木製の棺桶は管理するのに場所をとるため、同じ場所に多数の棺桶を保管できないという問題があった。更に、木製の棺桶は重く、運搬作業は重労働である。また、地震等で多数の死者が出た場合には、同時に多くの棺桶が必要となり、組み立てられた棺桶本体及び蓋は大きいので、比較的広い運搬空間（例えば、比較的広い荷台等）を備えた車両等が必要となる。更に、大量の木材を使用することによる森林破壊等の環境問題も起こっていた。
そこで、例えば、特許文献１には、あらかじめ定めた形状に切断した複数の段ボール紙製の板材からなり、底部及び該底部の周囲を囲む側壁部を有するように組み立てられる長尺状の箱体と、板材を互いに連結して箱体を組み立てるための連結用の継ぎ手部材と、箱体の上部開口を閉塞するための段ボール紙製の蓋体とを備えた組立式棺桶が開示されている。
【０００３】
【特許文献１】
特開２００１−３１５７５５号公報
【０００４】
【発明が解決しようとする課題】
しかしながら、特許文献１記載の組立式棺桶は、棺桶の底部及び底部の周囲を囲む側壁部を構成する段ボール紙製の板材がそれぞれ別に作製され、それらの板材を連結用の継ぎ手部材によって、長尺状の箱体を形成するので、部品点数が多くなっていた。また、連結継ぎ手部材を嵌合するための孔部を板材に穿設しなければならず、作業工程が煩雑化していた。
一方、通夜や告別式を行う期間（３〜４日程度）、遺体を棺や棺桶に入れたまま保存しておくと、腐敗が進行し死臭が発生するので、通常は遺体の保存剤としてドライアイスを棺桶内に配置しなければならない。
【０００５】
しかしながら、ドライアイスを遺体に直接触れるようにして配置すると皮膚が変色し、一見しても冷たく感じ、遺体に対して哀れみを感じる。また、ドライアイスは時間の経過と共に消滅するので、適当に補充する必要があり、この場合、棺桶の中にあるドライアイスの袋を全部取り出して新しいドライアイスを詰め込む作業を行うことになるが、遺体に対面して行うことになり辛い仕事になる。そして、火葬時においても、棺桶の中にドライアイスが入っている場合には、高温状態（例えば、８００℃）になるのに時間がかかり、このためダイオキシンが発生している。火葬の場合には棺桶からダイオキシンが発生するような要素を除去するように義務付けられているが、実際にはなかなか実行されていない。
【０００６】
本発明はかかる事情に鑑みてなされたもので、段ボールを主体として構成される棺桶本体を有し、軽くて、丈夫、しかも安価であり、ドライアイス等を用いることなく棺桶本体内を効率よく冷却できる棺桶を提供することを目的とする。
【０００７】
【課題を解決するための手段】
前記目的に沿う第１の発明に係る棺桶は、複数の通風孔を有する底板部と、底板部の周囲に一体的に設けられる側壁部とを有し、段ボールを主体として形成される棺桶本体と、棺桶本体の開口部を覆う開閉窓付きの蓋とを備える。これによって、底板部に冷風を吹き付けて、棺桶本体内を冷却することができ、棺桶本体内に安置される遺体を効率的に冷却できると共に、ドライアイスを使わなくてもよくなる。また、棺桶本体は段ボールを主体に形成され、軽くて、丈夫、しかも安価である。更に、主体が段ボールで形成された棺桶は、高い保温性を有している。
前記目的に沿う第２の発明に係る棺桶は、底板部と、底板部の周囲に一体的に設けられる側壁部とを有し、段ボールを主体として構成される棺桶本体と、棺桶本体の開口部を覆い主体が段ボールで構成される開閉窓付きの蓋とを備える。これによって、棺桶は段ボールを主体に構成され、軽くて、丈夫、しかも安価に形成することができる。また、主体が段ボールで形成された棺桶は、高い保温性を有している。
【０００８】
第１及び第２の発明に係る棺桶において、底板部の一部又は全部が、それぞれ立設配置された複数枚の段ボールライナーとその間に配置された波状の中芯紙とからなって、上下方向に通気可能な段ボール（すなわち、積層された段ボール）によって構成されてもよい。これによって、底板部の強度を低下させずに、通気をよくすることができる。
第１及び第２の発明に係る棺桶において、側壁部の上端周囲に補強材を設けてもよい。これによって、棺桶本体を補強することができる。
【０００９】
第１及び第２の発明に係る棺桶において、それぞれ棺桶本体及び蓋の外側面及び／又は内側面には、木目調の化粧紙又は薄い木材シートを貼着することもできる。これによって、棺桶に暖かさや高級感を持たせることができる。
第１及び第２の発明に係る棺桶において、それぞれ棺桶本体及び蓋の内側面及び／又は外側面には、耐水性処理を施すのが好ましい。これによって、遺体から発生する水分や冷却による水分により、棺桶を構成する段ボールが濡れるのを防止することができる。
【００１０】
【発明の実施の形態】
続いて、添付した図面を参照しつつ、本発明を具体化した実施の形態につき説明し、本発明の理解に供する。
ここで、図１は本発明の一実施の形態に係る棺桶及びその使用説明図、図２は蓋を除いた同棺桶の平面図、図３は同棺桶の展開図、図４（Ａ）は同棺桶の上端周囲の断面図、（Ｂ）〜（Ｅ）は補強材の取付けを表す説明図、図５は同棺桶の蓋の説明図である。
【００１１】
図１〜図５に示すように、棺桶１３は、主体が段ボールで形成される棺桶本体１１と、棺桶本体１１を閉塞し主体が段ボールで形成される蓋１２とを有する。更に、棺桶１３には棺桶１３を載せる載置台１４が設けられている。以下、棺桶１３と載置台１４で棺桶装置１０と称する。載置台１４内には、上部に載った棺桶本体１１の底板部１８に冷風を吹き付ける冷風発生手段１５、及び冷風発生手段１５に冷媒を供給する冷媒供給手段１６を有している。以下、これらについて詳しく説明する。
棺桶本体１１及び蓋１２を構成する段ボールとして、２枚の段ボールライナーとその間に配置された波状の中芯紙とからなる厚さ５ｍｍの段ボール紙を、段ボールライナーを１０枚向かい合わせに配置し、隣り合う段ボールライナーをそれぞれ貼り合わせて、厚みを５ｃｍとした段ボール体（積層された段ボール）を使用している。なお、隣り合う段ボール紙は、段ボールの２枚の段ボールライナーと波形の中芯紙により形成される貫通孔が実質的に垂直方向になるように段ボールライナーを貼り合わせ、段ボール体の強度を高めている。
【００１２】
図１〜図３及び図４（Ａ）に示すように、棺桶本体１１は、底部に複数の通風孔１７を有する底板部１８と、底板部１８の周囲に一体的に設けられる４つの側壁部１９とを有している。底板部１８及び側壁部１９は、１枚の段ボール体から形成され、底板部１８と側壁部１９との間の折り目部分には、底板部１８に側壁部１９を立設させる際に折り曲げ易いようにそれぞれ実質的に４５度に切削された切り欠き２０、２１を設け、更に、立設した際に隣り合う側壁部１９のそれぞれの端部も実質的に４５度に切削された切り欠き２２が設けられている。更に、底板部１８の中央部分には、多数の通風孔１７を有する通風部材２３を挿入するための挿入孔２４が設けられている。ここで、挿入孔２４に挿入する通風部材２３は、複数枚の段ボール紙を貫通孔が上下方向に配置されるように平行位置に揃えて貼り合わせ、厚みが５ｃｍとなるように構成されている。つまり、段ボールの多数の貫通孔からなる通風孔１７によって上下方向の通気が可能となっている。そして、通風部材２３は、耐水処理を施された段ボール紙から構成されている。なお、図３は、通風部材２３を省略している。
【００１３】
更に、図４（Ａ）に示すように、側壁部１９上端の内側周囲には、補強材２５を取付けるための凹部２６が設けられ、凹部２６に補強材２５を取付けて、棺桶本体１１を補強している。
また、底板部１８に側壁部１９を折り曲げて立設状態として、棺桶本体１１を組み立て、棺桶本体１１の内側面及び外側面に耐水性処理が施された木目調の化粧紙２７を貼着している。これによって、棺桶１３に暖かさや高級感を持たせることができると共に、遺体から発生する水分や冷却による水分により、棺桶本体の段ボールが濡れて、強度が低下し、棺桶本体が壊れるのを防止している。なお、段ボールに耐水性処理を施してもよい。
【００１４】
次に、図１及び図５を参照して、棺桶本体１１の開口部２８を覆う開閉窓２９付きの蓋１２について説明する。蓋１２は厚さ５ｃｍの段ボール体の天井板部３０には、開閉窓２９を取付けるための孔３１が穿設されている。更に、蓋１２の底部には、棺桶本体１１の側壁部１９上部に内接するように、足部３２が設けられている。なお、棺桶本体１１と同様に、蓋１２の全面には、耐水性処理が施された木目調の化粧紙が貼着されている（図示せず）。これによって、棺桶１３に暖かさや高級感を持たせることができると共に、遺体から発生する水分や冷却による水分により、蓋の段ボールが濡れて、強度が低下し、蓋が壊れるのを防止している。
【００１５】
また、図４（Ｂ）〜（Ｅ）に示すように、側壁部１９上端を加工し、補強材を取付けてもよい。図４（Ｂ）では、側壁部１９上端内部に、補強材２５ａを取付けるための凹部３２ａを設けている。
更に、図４（Ｃ）〜（Ｅ）に示すように、補強材は、側壁部１９の補強及び棺桶本体１１を覆う蓋１２を装着したときに、蓋１２を支えるように取付けてもよい。図４（Ｃ）では、側壁部１９内側の上端部に補強材２５ｂを貼り付け、蓋１２の足部３２の下部を補強材２５ｂで支えるようになっている。図４（Ｄ）では、側壁部１９内側の上端部に補強材２５ｃを貼り付け、更に側壁部１９上端の内側周囲に凹部３２ｂを設けている。凹部３２ｂに嵌合するように蓋１２の足部３２ｃを取付けている。更に、図４（Ｅ）では、側壁部１９上端の外側周囲に、補強材２５ｄを取付けている。これに嵌合するように蓋１２の足部３２ｄを取付けている。
なお、それぞれの側壁部１９には、化粧紙２７を貼り付けてもよい。
【００１６】
次に、図１を参照しながら、棺桶本体１１の底板部１８に冷風を吹き付ける冷風発生手段１５及び冷媒供給手段１６について説明する。
冷風発生手段１５は、冷媒が流れる冷媒配管３３、及び冷媒配管３３によって降温された冷風を棺桶本体１１の底部に導くファン３４を有している。また、冷媒供給手段１６は、図示しない蒸発圧縮式の冷凍機を有し、冷凍機により冷却された冷媒をフレキシブルチューブ３５、継ぎ手３６を介して、冷風発生手段１５の冷媒配管３３に供給する。なお、冷媒供給手段１６は全体が断熱材で包まれて外部の温度が影響しない構造となっている。
また、載置台１４は、棺桶本体１１の底板部１８と実質的に同じ広さの天井板３７、底板３８、及び底板３８に立設配置される側板３９を有し、底板３８及び側板３９の内側部分には、発泡合成樹脂シート等からなる断熱シート４０が貼着されている。更に、載置台１４の天井板３７には、棺桶本体１１底部に吹き付けられた冷風を冷媒配管３３に導く複数の貫通孔４１がファン３４のそれぞれの周囲に設けられている。
【００１７】
本発明は、前記した実施の形態に限定されるものではなく、本発明の要旨を変更しない範囲での変更は可能であり、例えば、前記したそれぞれの実施の形態や変形例の一部又は全部を組み合わせて本発明の棺桶を構成する場合も本発明の権利範囲に含まれる。
例えば、前記実施の形態の棺桶装置において、棺桶は段ボール紙で構成したが、塩素化合物を含まない、つまり、焼却する際にダイオキシンを発生しない段ボール材料で形成してもよい。また、棺桶本体及び蓋を構成する段ボールは、厚さ５ｍｍの段ボール紙の両面を１０枚貼り合わせ、厚みを５ｃｍとした段ボール体を使用したが、これに限定するものではない。更に、隣り合う段ボール紙を、段ボールの２枚の段ボールライナーと波形の中芯紙により形成される貫通孔が実質的に垂直位置になるように貼り合わせたが、強度に問題がなければどの位置で貼り合わせてもよい。
また、棺桶本体の底板部の一部に、複数枚の段ボール紙を貫通孔が上下方向に配置されるように平行位置に揃えて貼り合わせ、厚みが５ｃｍとなるように形成した通風部材を用いたが、棺桶本体の底板部に強度に問題のない程度の孔を複数、穿設してもよい。そして、本実施の形態では木目調の化粧紙を棺桶の表面に貼着したが、棺桶本体及び蓋の外側面及び／又は内側面に、薄い木材シートを貼着してもよい。
【００１８】
【発明の効果】
請求項１及びこれに従属する請求項３〜６記載の棺桶においては、複数の通風孔を有する底板部と、底板部の周囲に一体的に設けられる側壁部とを有し、主体が段ボールで形成される棺桶本体と、棺桶本体の開口部を覆う開閉窓付きの蓋とを備えるので、底板部に冷風を吹き付けて、棺桶本体内を冷却することができ、棺桶本体内に安置される遺体を効率的に冷却できると共に、ドライアイスを使わなくてもよくなる。また、棺桶本体は段ボールを主体に形成され、軽くて丈夫、しかも安価である。更に、主体が段ボールで形成された棺桶本体は、高い保温性を有し、底板部に冷風が吹き付けられ、棺桶内が冷却されると、冷却時間が長くなる。
特に、請求項２及びこれに従属する請求項３〜６記載の棺桶においては、底板部と、底板部の周囲に一体的に設けられる側壁部とを有し、主体が段ボールで構成される棺桶本体と、棺桶本体の開口部を覆い主体が段ボールで構成される開閉窓付きの蓋とを備えるので、更に、軽くて丈夫、しかも安価に形成することができる。また、主体が段ボールで形成された棺桶は、高い保温性を有し、棺桶内が冷却された場合には、冷却時間が長くなる。
【００１９】
特に、請求項３記載の棺桶においては、底板部の一部又は全部が、それぞれ立設配置された複数枚の段ボールライナーとその間に配置された波状の中芯紙とからなって、上下方向に通気可能な段ボールによって構成されているので、底板部の強度を低下させずに、通気をよくすることができる。
請求項４記載の棺桶においては、側壁部の上端周囲に補強材が設けられ、棺桶本体が補強されているので、棺桶本体内に遺体を安置したまま持ち上げて移動する際にも棺桶が壊れることがない。
請求項５記載の棺桶においては、それぞれ棺桶本体及び蓋の外側面及び／又は内側面には、木目調の化粧紙又は薄い木材シートが貼着されているので、棺桶に暖かさや高級感を持たせることができる。
請求項６記載の棺桶においては、それぞれ棺桶本体及び蓋の内側面及び／又は外側面には、耐水性処理が行われているので、遺体から発生する水分や冷却による水分により、棺桶を構成する段ボールが濡れるのを防止することができ、棺桶の強度を低下させることがなくなる。
【図面の簡単な説明】
【図１】本発明の一実施の形態に係る棺桶及びその使用説明図である。
【図２】蓋を除いた同棺桶の平面図である。
【図３】同棺桶の展開図である。
【図４】（Ａ）は同棺桶の上端周囲の断面図、（Ｂ）〜（Ｅ）は補強材の取付けを表す説明図である。
【図５】同棺桶の蓋の説明図である。
【符号の説明】
１０：棺桶装置、１１：棺桶本体、１２：蓋、１３：棺桶、１４：載置台、１５：冷風発生手段、１６：冷媒供給手段、１７：通風孔、１８：底板部、１９：側壁部、２０〜２２：切り欠き、２３：通風部材、２４：挿入孔、２５、２５ａ〜２５ｄ：補強材、２６：凹部、２７：化粧紙、２８：開口部、２９：開閉窓、３０：天井板部、３１：孔、３２：足部、３２ａ、３２ｂ：凹部、３２ｃ、３２ｄ：足部、３３：冷媒配管、３４：ファン、３５：フレキシブルチューブ、３６：継ぎ手、３７：天井板、３８：底板、３９：側板、４０：断熱シート、４１：貫通孔
【図１】
2004208860.tif 000003
【図２】
2004208860.tif 000004
【図３】
2004208860.tif 000005
【図４】
2004208860.tif 000006
【図５】
2004208860.tif 000007